(57)【要約】【課題】本発明は、安価で、かつ簡単な構成によって高さ調整が可能な表示装置を提供することを目的とする。【解決手段】本発明による表示装置は、支柱部３を有する表示部４と、表示部４を載置するための支持部とを備える表示装置において、支持部は、設置箇所に設置される台座２と、台座２と支柱部３とに着脱可能な中間部材１とを備えることを特徴とする。【選択図】図１
2009258543.tif 000002
【特許請求の範囲】
【請求項１】
支柱部を有する表示部と、前記表示部を載置するための支持部とを備える表示装置において、
前記支持部は、
設置箇所に設置される台座と、
前記台座と前記支柱部とに着脱可能な中間部材と、
を備えることを特徴とする、表示装置。
【請求項２】
前記中間部材に設けられた凹接続部の形状は、前記支柱部に設けられた凹接続部の形状と同一であることを特徴とする、請求項１に記載の表示装置。
【請求項３】
前記中間部材に設けられた凸接続部の形状は、前記台座の上面に設けられた凸接続部の形状と同一であることを特徴とする、請求項１に記載の表示装置。
【請求項４】
前記中間部材は、複数接続可能であることを特徴とする、請求項１ないし請求項３のいずれかに記載の表示装置。
【請求項５】
前記中間部材は、高さの異なる複数の中間部材を備えることを特徴とする、請求項１ないし請求項４のいずれかに記載の表示装置。
【請求項６】
前記中間部材の前記凸接続部には凹部が、前記中間部材の前記凹接続部は凸部が、両者が嵌合可能なようにそれぞれ形成されることを特徴とする、請求項１ないし請求項３のいずれかに記載の表示装置。
【請求項７】
前記台座の設置面積を調整するために、前記台座の端部に着脱可能な調整部材を備えることを特徴とする、請求項１に記載の表示装置。
【請求項８】
前記台座の設置面積を調整するために、前記台座に外嵌するように設けられた外嵌部材を備えることを特徴とする、請求項１に記載の表示装置。
【発明の詳細な説明】
【技術分野】
【０００１】
本発明は、高さ調整が可能な表示装置に関する。
【背景技術】
【０００２】
近年、液晶表示ディスプレイなどの表示装置の大型化に伴って、高さ調整が可能な表示装置の必要性が高まっている。
【０００３】
従来では、一端部に被取付部材が取り付けられる湾曲した長手状の支柱部と、この支柱部の長手方向が略鉛直方向に沿う状態で、かつ長手方向で摺動可能に支柱部に保持する保持部とを具備した高さ調整装置がある（例えば、特許文献１参照）。
【０００４】
【特許文献１】特開２００４−１５７３０８号公報
【発明の開示】
【発明が解決しようとする課題】
【０００５】
特許文献１では、部品点数が多いため高価であるという問題があった。
【０００６】
本発明は、これらの問題を解決するためになされたもので、安価で、かつ簡単な構成によって高さ調整が可能な表示装置を提供することを目的とする。
【課題を解決するための手段】
【０００７】
上記の課題を解決するために、本発明による表示装置は、支柱部を有する表示部と、表示部を載置するための支持部とを備える表示装置において、支持部は、設置箇所に設置される台座と、台座と支柱部とに着脱可能な中間部材とを備えることを特徴とする。
【発明の効果】
【０００８】
本発明によると、支柱部を有する表示部と、表示部を載置するための支持部とを備える表示装置において、支持部は、設置箇所に設置される台座と、台座と支柱部とに着脱可能な中間部材とを備えるため、安価で簡単に高さ調整が可能な表示装置を提供することができる。
【発明を実施するための最良の形態】
【０００９】
本発明の実施形態について、図面を用いて以下に説明する。
【００１０】
図１は、本発明の実施形態による表示装置の構成図である。図１に示すように、本発明による表示装置は、支柱部３を有する表示部４と、表示部４を載置するための支持部とを備えており、支持部は、設置箇所に設置される台座２と、台座２および支柱部３に着脱可能な中間部材１とを備えている。また支持部は、中間部材１と、凸接続部２２を設けた台座２とから構成される。
【００１１】
図２は、本発明の実施形態による支柱部３を示す図である。図２に示すように、支柱部３は中間部材１または台座２と接続可能な凹接続部３３を有する。また、図３は、本発明の実施形態による中間部材１を示す図である。図３に示すように、中間部材１は、高さ調整部１１、凸接続部１２、凹接続部１３とから構成される。
【００１２】
図２および図３に示すように、中間部材１に設けられた凹接続部１３の形状は、支柱部３に設けられた凹接続部３３の形状と同一であり、中間部材１に設けられた凸接続部１２の形状は、台座２の上面に設けられた凸接続部２２の形状と同一である。従って、中間部材１の凸接続部１２は支柱部３の凹接続部３３と嵌合して接続し、中間部材１の凹接続部１３は台座２の凸接続部２２と嵌合して接続することが可能である。
【００１３】
このように、中間部材１を用いることによって、簡単な構成により表示部４の高さ調整が可能となる。
【００１４】
図４および図５は、本発明の実施形態による表示装置の高さ調整を示す図である。図４および図５に示すように、複数の中間部材１を接続することによって多段階の高さ調整が可能であるとともに、さらに高い高さ調整が可能となる。
【００１５】
図６は、本発明の実施形態による中間部材を示す図である。図６に示すように、２つの中間部材１は、それぞれの高さ調整部１１の高さが異なっている。このように、高さの異なる高さ調整部１１を組み合わせることによって、多段階の高さ調整が可能となる。
【００１６】
図７は、本発明の実施形態によるぐらつき防止を示す図である。図７に示すように、中間部材１の凸接続部１２には凹部１２ａが、凹接続部１３には凸部１３ａが形成されている。凹部１２ａと凸部１３ａとは嵌合可能であり、複数の中間部材１を接続して使用してもぐらつくことはない。なお、本実施形態では、凹部１２ａと凸部１３ａを中間部材１にそれぞれ３箇所設けたが、１箇所でも複数箇所であってもよい。
【００１７】
図８は、本発明の実施形態による台座２を示す図である。表示部４の高さが高くなると表示装置が倒れやすくなるため、高さ調整に対応して台座２の設置面積を調整する必要がある。図８に示すように、台座２を構成する基本部材２１の端部に対して、着脱可能な前側長さ調整部材２３（調整部材）および後側長さ調整部材２４（調整部材）を付加している。このような台座２における基本部材２１への前側長さ調整部材２３および後側長さ調整部材２４の付加方法として、図９および図１０に示すような構成がある。図９では、基本部材２１の側面に凹部２１ａを設け、凹部２１ａに嵌合するように前側長さ調整部材２３および後側長さ調整部材２４に、それぞれ凸部２３ａおよび凸部２４ａを形成している。図１０では、基本部材２１の側面に凹部２１ｂを設け、凹部２１ｂに嵌合するように前側長さ調整部材２３および後側長さ調整部材２４に、それぞれ爪部２３ｂおよび爪部２４ｂを形成している。このような構成にすることによって、高さ調整に対応した最適な設置面積である台座２を得ることが可能である。なお、前側長さ調整部材２３および後側長さ調整部材２４は、任意の幅としてもよい。例えば、図８に示すように、表示部４の高さが高くなるに従って、前側長さ調整部材２３および後側長さ調整部材２４を複数組み合わせることによって最適な設置面積にすることが可能である。
【００１８】
図１１は、図８から図１０とは異なる方法によって、高さ調整に対応する台座２の設置面積の調整を行うことを示した図である。図１１に示すように、円形の台座２を構成する基本部材２５に外嵌するように設けられた長さ調整部材２６（外嵌部材）および長さ調整部材２７（外嵌部材）を用いて台座２の設置面積を調整する。このような構成にすることによって、高さ調整に対応した最適な設置面積である台座２得ることが可能である。なお、本実施形態では、台座２を円形としたが、四角形や楕円形であっても同様の効果が得られる。
【図面の簡単な説明】
【００１９】
【図１】本発明の実施形態による表示装置の構成図である。
【図２】本発明の実施形態による支柱部を示す図である。
【図３】本発明の実施形態による中間部材を示す図である。
【図４】本発明の実施形態による表示装置の高さ調整を示す図である。
【図５】本発明の実施形態による表示装置の高さ調整を示す図である。
【図６】本発明の実施形態による中間部材を示す図である。
【図７】本発明の実施形態によるぐらつき防止を示す図である。
【図８】本発明の実施形態による台座を示す図である。
【図９】本発明の実施形態による台座を示す図である。
【図１０】本発明の実施形態による台座を示す図である。
【図１１】本発明の実施形態による台座を示す図である。
【符号の説明】
【００２０】
１  中間部材、１１  高さ調整部、１２  凸接続部、１２ａ  凹部、１３  凹接続部、１３ａ  凸部、２  台座、２１  基本部材、２１ａ  凹部、２１ｂ  凹部、２２  凸接続部、２３  前側長さ調整部材、２４  後側長さ調整部材、２４ｂ  爪部、２５  基本部材、２６  長さ調整部材、２７  長さ調整部材、３  支柱部、３３  凹接続部、４  表示部。
【図１】
2009258543.tif 000003
【図２】
2009258543.tif 000004
【図３】
2009258543.tif 000005
【図４】
2009258543.tif 000006
【図５】
2009258543.tif 000007
【図６】
2009258543.tif 000008
【図７】
2009258543.tif 000009
【図８】
2009258543.tif 000010
【図９】
2009258543.tif 000011
【図１０】
2009258543.tif 000012
【図１１】
2009258543.tif 000013